(57)【要約】      （修正有）【課題】大きさに限りはあるが、観賞用として本物を封入できるという付加価値と、場合によっては、ある時点の記念になる媒体を封入できるという更に大きな付加価値を得ることができる観賞用立体封入ガラス食器を提供する。【解決手段】予めガラス整形時に、底面や側面に窪みを設けておき、封入したい媒体（生花やドライフラワー、フィギュアなど）を窪み部分に固定、設置。次いでポリエステル樹脂や、硬化剤を含む、合わせガラス接着専用の樹脂などを使用するなどし、媒体を封入。最後に加工部を研磨処理、課題を解決する。【選択図】なし【実用新案登録請求の範囲】
【請求項１】
整形時、予め窪み加工を施した部分（底面、側面など）に、生花やドライフラワー、フィギュアなどの立体媒体を樹脂にて封じ込めた観賞用の立体封入ガラス食器全般。
【考案の詳細な説明】
【技術分野】
【０００１】  本考案は、予め窪み加工を施した部分（底面、側面など）に、ドライフラワーや生花、フィギュアなどを封じ込めた立体観賞用ガラス食器である。
【背景技術】
【０００２】  従来の観賞用ガラス食器には、サンドブラスト加工、またはレーザー加工などガラスの表面をエッジング加工することによりデザイン画を施したものや、定型ガラスの表面に、デザイン転写シートにより焼き付け加工を施したもの、或いは染料を加えたガラス粉を使いカラフルに型取った工芸品などがある。
【考案の開示】
【考案が解決しようとする課題】
【０００３】  前の背景技術に記述した従来の加工技術では、表面加工が主流なため、三次元を表現することが非常に困難。
また、ガラス細工による工芸品も、抽象的に型取った擬似加工ものが主流で、立体とはいえ、本物や実物からはほど遠い。
何れも本物（実物）を観賞用として食器内に取り込むことは困難。
【課題を解決するための手段】
【０００４】  本考案は飽くまでガラス食器であるため、生産する食器の大きさにより、封入しようとする媒体の大きさに限りが生じるが、予めガラス整形時に、底面や側面に窪みを設けておき、封入したい媒体（生花や、ドライフラワー、フィギュアなど）を挿入、ポリエステル樹脂や合わせガラス接着専用の樹脂などを使用し封入、課題を解決する。
【考案の効果】
【０００５】  大きさに限りはあるが、観賞用として本物を封入できるという付加価値は非常に高いと考える。
場合によっては、ある時点の記念になる媒体を封入できるという更に大きな付加価値を得ることができる。
【考案を実施するための最良の形態】
【０００６】  以下、考案の実施例を（イ）から（ニ）の順に説明する。
（イ）  基礎型を整形。割型にて図１のような型を基礎型として整形するか、もしくは吹きガラスにて整形時に同図１に近い窪みを設ける。
（ロ）  封入したい媒体を（イ）で整形した窪み部分に固定、設置。
（ハ）  樹脂にて（ロ）で設置した媒体を封入。この時、金属など耐熱性が強いものに関しては、熱を加えた樹脂封入が可能であるが、生花やドライフラワーなど、耐熱性の弱いものに関しては、硬化剤を含む接着系樹脂などにて封入するなどの技術が必要となると考える。
（ニ）  洗いがけなど、加工部表面を研磨し、完成。
【産業上の利用可能性】
【０００７】  本考案はギフト需要の高い商品と考える。
コップやお皿など数々の食器をシリーズ組みすることで、その需要度は一層高まるであろうし、名入れを施せば、更にオリジナル性が高まり、例えば四葉や季節の花を封入することにより、ブライダル始め、記念贈答品としての価値が更に生まれるはず。
また、花のテーマパークやご当地の花（県の花）などのオリジナル商品として商品化したり、ミニチュアフィギュアやオリジナルマスコットなどのキャラクターを封入するなど、販促用品、或いは一般流通商品としての効果、需要も得られると考える。
【図面の簡単な説明】
【０００８】
【図１】窪み加工を施したガラスコップの断面図。
【図２】封入加工後のガラスコップの断面図。  図中の黒い丸は封入をしたい立体媒体（生花やドライフラワー、フィギュアなど）である。
【図３】封入後のガラスコップ・或いはお皿を上部から見たときの図。  図中の黒い丸は図２同様、封入したい立体媒体（生花やドライフラワー、フィギュアなど）である。
【図１】
0003114261.tif 000002
【図２】
0003114261.tif 000003
【図３】
0003114261.tif 000004
【手続補正書】
【提出日】平成16年10月27日(2004.10.27)
【手続補正１】
【補正対象書類名】実用新案登録請求の範囲
【補正対象項目名】全文
【補正方法】変更
【補正の内容】
【実用新案登録請求の範囲】
【請求項１】
成型時、予め窪み加工を施した部分に、ドライフラワーを樹脂にて封じ込めた観賞用ガラス食器。
【手続補正２】
【補正対象書類名】明細書
【補正対象項目名】全文
【補正方法】変更
【補正の内容】
【考案の詳細な説明】
【技術分野】
【０００１】本考案は、予め窪み加工を施した部分に、ドライフラワーを樹脂にて封じ込めた観賞用ガラス食器である。
【背景技術】
【０００２】従来の観賞用ガラス食器には、サンドブラスト加工、またはレーザー加工などガラスの表面をエッジング加工することによりデザイン画を施したものや、定型ガラスの表面に、デザイン転写シートにより焼き付け加工を施したもの、或いは、染料を加えたガラス粉を使いカラフルに型取った工芸品などがある。
【考案の開示】
【考案が解決しようとする課題】
【０００３】従来の技術では、デザイン性を表現することしかできなかった。
本考案は、本物の花の観賞を可能にしたものである。
【課題を解決するための手段】
【０００４】成型時、ガラス食器に予め設けた窪み部分に、ドライフラワーを置き、樹脂を被せ、ドライフラワーを封入する。
【考案の効果】
【０００５】観賞用として本物の花を封入できるという付加価値は非常に高いと考える。
【考案を実施するための最良の形態】
【０００６】以下実施例として、ガラスコップの底面に本考案を施した際の説明をする。
先ず、〔図１〕のような基礎型を成型。
次にドライフラワーを〔図２〕のように、窪み部分に固定、設置し、樹脂を流し込み硬化させ完成。
【産業上の利用可能性】
【０００７】本考案はギフト需要の高い商品と考える。
コップやお皿など数々の食器をシリーズ組みすることで、その需要度は一層高まるであろうし、名入れを施せば、更にオリジナル性が高まり、例えば四葉や季節の花を封入することにより、ブライダル始め、記念贈答品としての価値が更に生まれるはず。
【図面の簡単な説明】
【０００８】
【図１】成型時に窪み加工を施したガラスコップ底面の斜視図。
【図２】 
【図１】で設けた窪み部分に、ドライフラワーを樹脂にて封入したガラスコップ底面の斜視図。
【手続補正３】
【補正対象書類名】図面
【補正対象項目名】全文
【補正方法】変更
【補正の内容】
【書類名】  図面
【図１】
0003114261.tif 000005
【図２】
0003114261.tif 000006
【図３】
0003114261.tif 000007
【手続補正書】
【提出日】平成17年7月3日(2005.7.3)
【手続補正１】
【補正対象書類名】明細書
【補正対象項目名】０００８
【補正方法】変更
【補正の内容】
【０００８】
【図１】成型時に窪み加工を施したガラスコップ底面の斜視図。
【図２】［１］で設けた窪み部分に、ドライフラワーを樹脂にて封入したガラスコップ底部の斜視図。
【図３】ガラスコップ側面に設けた窪み部分に、ドライフラワーを樹脂にて封入した斜視図。